(57)【要約】  ユーザ装置は、基地局装置と通信を行い、前記基地局装置と前記ユーザ装置との間にＲＲＣ（Radio Resource Control）接続が確立される以前にＰＵＳＣＨ（Physical Uplink Shared Channel）を前記基地局装置に送信する場合に、ＰＵＳＣＨ及び復調用参照信号に適用される周波数ホッピングを制御する処理部と、ＰＵＳＣＨに周波数ホッピングを適用することを示す情報を前記基地局装置から受信する受信部と、周波数ホッピングが適用された前記ＰＵＳＣＨ及び前記復調用参照信号を送信する送信部とを有し、１つのＰＵＳＣＨを復調するための前記復調用参照信号は、前方配置復調用参照信号が１つ及び追加復調用参照信号が１つで構成され、前記ＰＵＳＣＨの期間のシンボル数が、１つの追加復調用参照信号をサポートしないシンボル数である場合、前記復調用参照信号は、前方配置復調用参照信号で構成される。
2019187157.tif 000002
【特許請求の範囲】
【請求項１】
基地局装置と通信を行うユーザ装置であって、
前記基地局装置と前記ユーザ装置との間にＲＲＣ（Radio Resource Control）接続が確立される以前にＰＵＳＣＨ（Physical Uplink Shared Channel）を前記基地局装置に送信する場合に、ＰＵＳＣＨ及び復調用参照信号に適用される周波数ホッピングを制御する処理部と、
ＰＵＳＣＨに周波数ホッピングを適用することを示す情報を前記基地局装置から受信する受信部と、
周波数ホッピングが適用された前記ＰＵＳＣＨ及び前記復調用参照信号を送信する送信部とを有し、
１つのＰＵＳＣＨを復調するための前記復調用参照信号は、前方配置復調用参照信号が１つ及び追加復調用参照信号が１つで構成され、
前記ＰＵＳＣＨの期間のシンボル数が、１つの追加復調用参照信号をサポートしないシンボル数である場合、前記復調用参照信号は、前方配置復調用参照信号で構成されるユーザ装置。
【請求項２】
前記処理部は、周波数ホッピングされる復調用参照信号が配置されるシンボルの時間領域における位置をＰＵＳＣＨの期間のシンボル数に基づいて決定する請求項１記載のユーザ装置。
【請求項３】
前記周波数ホッピングを適用することを示す情報は、送信するＰＵＳＣＨに対応する検出されたＰＤＣＣＨ（Physical Downlink Control Channel）のＤＣＩ（Downlink Control Information）フォーマットに含まれるｆｒｅｑｕｅｎｃｙ  ｈｏｐｐｉｎｇ  ｆｉｅｌｄである請求項１記載のユーザ装置。
【請求項４】
前記ｆｒｅｑｕｅｎｃｙ  ｈｏｐｐｉｎｇ  ｆｉｅｌｄが１であって、
前記ＰＵＳＣＨの期間のシンボル数が７である場合、前記復調用参照信号は、１つの追加復調用参照信号を含み、
前記ＰＵＳＣＨの期間のシンボル数が７未満である場合、前記復調用参照信号は、追加復調用参照信号を含まない請求項３記載のユーザ装置。
【請求項５】
前記ｆｒｅｑｕｅｎｃｙ  ｈｏｐｐｉｎｇ  ｆｉｅｌｄが１であって、
前記ＰＵＳＣＨの期間のシンボル数が４を超える場合、前記復調用参照信号は、１つの追加復調用参照信号を含み、
前記ＰＵＳＣＨの期間のシンボル数が５未満である場合、前記復調用参照信号は、追加復調用参照信号を含まない請求項３記載のユーザ装置。
【請求項６】
ユーザ装置と通信を行う基地局装置であって、
前記ユーザ装置と前記基地局装置との間にＲＲＣ（Radio Resource Control）接続が確立される以前にＰＵＳＣＨ（Physical Uplink Shared Channel）を前記基地局装置が受信する場合に、ＰＵＳＣＨ及び復調用参照信号に適用される周波数ホッピングを設定する設定部と、
ＰＵＳＣＨに周波数ホッピングを適用することを示す情報を前記ユーザ装置に送信する送信部と、
周波数ホッピングが適用された前記ＰＵＳＣＨ及び前記復調用参照信号を受信する受信部とを有し、
１つのＰＵＳＣＨを復調するための前記復調用参照信号は、前方配置復調用参照信号が１つ及び追加復調用参照信号が１つで構成され、
前記ＰＵＳＣＨの期間のシンボル数が、１つの追加復調用参照信号をサポートしないシンボル数である場合、前記復調用参照信号は、前方配置復調用参照信号で構成される基地局装置。
【発明の詳細な説明】
【技術分野】
【０００１】
本発明は、無線通信システムにおけるユーザ装置及び基地局装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「ＮＲ」という。）の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。【０００３】
ＮＲにおいては、復調用参照信号（ＤＭ−ＲＳ：Demodulation Reference Signal）に関して、チャネル推定及び信号復調に要する処理時間を短縮するため、復調用参照信号をスロット内の時間領域において前方に配置することが検討されている。前方に配置された復調用参照信号をＦｒｏｎｔ−ｌｏａｄｅｄ  ＤＭ−ＲＳという。また、ＮＲにおいては、Ｆｒｏｎｔ−ｌｏａｄｅｄ  ＤＭ−ＲＳに加えて、スロットの時間領域において後方に配置されるＤＭ−ＲＳを、Ａｄｄｉｔｉｏｎａｌ  ＤＭ−ＲＳという（例えば非特許文献１）。
【先行技術文献】
【非特許文献】
【０００４】
【非特許文献１】３ＧＰＰ  ＴＳ  ３８．２１１  Ｖ１５．０．０  （２０１７−１２）
【発明の概要】
【発明が解決しようとする課題】
【０００５】
しかしながら、ＮＲにおいて、ＰＵＳＣＨ（Physical Uplink Shared Channel）がユーザ装置から基地局装置に送信されるとき、ＰＵＳＣＨの復調用参照信号であるＦｒｏｎｔ−ｌｏａｄｅｄ  ＤＭ−ＲＳ又はＡｄｄｉｔｉｏｎａｌ  ＤＭ−ＲＳに対して周波数ホッピングを適用する場合、ＤＭ−ＲＳの数及び周波数ホッピングの対象となるＤＭ−ＲＳの時間領域における位置を特定する必要があった。【０００６】
本発明は上記の点に鑑みてなされたものであり、無線通信システムにおいて、復調用参照信号に対して適切に周波数ホッピングを適用し、周波数ホッピングのゲインを得ることを目的とする。
【課題を解決するための手段】
【０００７】
開示の技術によれば、基地局装置と通信を行い、前記基地局装置と前記ユーザ装置との間にＲＲＣ（Radio Resource Control）接続が確立される以前にＰＵＳＣＨ（Physical Uplink Shared Channel）を前記基地局装置に送信する場合に、ＰＵＳＣＨ及び復調用参照信号に適用される周波数ホッピングを制御する処理部と、ＰＵＳＣＨに周波数ホッピングを適用することを示す情報を前記基地局装置から受信する受信部と、周波数ホッピングが適用された前記ＰＵＳＣＨ及び前記復調用参照信号を送信する送信部とを有し、１つのＰＵＳＣＨを復調するための前記復調用参照信号は、前方配置復調用参照信号が１つ及び追加復調用参照信号が１つで構成され、前記ＰＵＳＣＨの期間のシンボル数が、１つの追加復調用参照信号をサポートしないシンボル数である場合、前記復調用参照信号は、前方配置復調用参照信号で構成されるユーザ装置が提供される。
【発明の効果】
【０００８】
開示の技術によれば、無線通信システムにおいて、復調用参照信号に対して適切に周波数ホッピングを適用し、周波数ホッピングのゲインを得ることができる。
【図面の簡単な説明】
【０００９】
【図１】本発明の実施の形態における無線通信システムの構成例を示す図である。
【図２】本発明の実施の形態におけるＤＭ−ＲＳが無線フレームに配置される例（１）を示す図である。
【図３】本発明の実施の形態におけるＤＭ−ＲＳが無線フレームに配置される例（２）を示す図である。
【図４】本発明の実施の形態における周波数ホッピングの例（１）を示す図である。
【図５】本発明の実施の形態における周波数ホッピングの例（２）を示す図である。
【図６】本発明の実施の形態における周波数ホッピングの例（３）を示す図である。
【図７】本発明の実施の形態における周波数ホッピングの例（４）を示す図である。
【図８】本発明の実施の形態における周波数ホッピングの例（５）を示す図である。
【図９】本発明の実施の形態における周波数ホッピングの例（６）を示す図である。
【図１０】本発明の実施の形態における周波数ホッピングの例（７）を示す図である。
【図１１】本発明の実施の形態における周波数ホッピングの例（８）を示す図である。
【図１２】本発明の実施の形態における周波数ホッピングの例（９）を示す図である。
【図１３】本発明の実施の形態における周波数ホッピングの例（１０）を示す図である。
【図１４】本発明の実施の形態における周波数ホッピングの例（１１）を示す図である。
【図１５】本発明の実施の形態における周波数ホッピングの例（１２）を示す図である。
【図１６】本発明の実施の形態における周波数ホッピングの例（１３）を示す図である。
【図１７】本発明の実施の形態における仕様変更の一例を示す図である。
【図１８】本発明の実施の形態における基地局装置１００の機能構成の一例を示す図である。
【図１９】本発明の実施の形態におけるユーザ装置２００の機能構成の一例を示す図である。
【図２０】本発明の実施の形態における基地局装置１００及びユーザ装置２００のハードウェア構成の一例を示す図である。
【発明を実施するための形態】
【００１０】
以下、図面を参照して本発明の実施の形態を説明する。なお、以下で説明する実施の形態は一例であり、本発明が適用される実施の形態は、以下の実施の形態に限られない。
【００１１】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ又は５Ｇ）を含む広い意味を有するものとする。
【００１２】
また、以下で説明する本発明の実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）、ＰＲＡＣＨ（Physical RACH）等の用語を使用している。これは記載の便宜上のためであり、これらと同様の信号、機能等が他の名称で呼ばれてもよい。
【００１３】
また、本発明の実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１４】
また、以下の説明において、送信ビームを用いて信号を送信することは、プリコーディングベクトルが乗算された（プリコーディングベクトルでプリコードされた）信号を送信することとしてもよい。同様に、受信ビームを用いて信号を受信することは、所定の重みベクトルを受信した信号に乗算することであってもよい。また、送信ビームを用いて信号を送信することは、特定のアンテナポートで信号を送信することであってもよい。同様に、受信ビームを用いて信号を受信することは、特定のアンテナポートで信号を受信することであってもよい。アンテナポートとは、３ＧＰＰの規格で定義されている論理アンテナポート又は物理アンテナポートを指す。
【００１５】
なお、送信ビーム及び受信ビームの形成方法は、上記の方法に限られない。例えば、複数アンテナを備える基地局装置１００又はユーザ装置２００において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用してもよいし、複数のアンテナパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００１６】
また、本発明の実施の形態において、無線パラメータ等が「設定される」とは、所定の値が予め設定（Pre-configure）又は規定されることであってもよいし、基地局装置１００又はユーザ装置２００から通知される無線パラメータが設定されることであってもよい。
【００１７】
図１は、本発明の実施の形態における無線通信システムの構成例を示す図である。本発明の実施の形態における無線通信システムは、図１に示されるように、基地局装置１００及びユーザ装置２００を含む。図１には、基地局装置１００及びユーザ装置２００が１つずつ示されているが、これは例であり、それぞれ複数であってもよい。
【００１８】
基地局装置１００は、１つ以上のセルを提供し、ユーザ装置２００と無線通信を行う通信装置である。基地局装置１００は、ユーザ装置２００に参照信号を送信し、ユーザ装置２００は、基地局装置１００に参照信号を送信する。参照信号は、制御信号及びデータ信号が配置される無線フレーム上の予め定められたＯＦＤＭ（Orthogonal Frequency Division Multiplexing）シンボルに配置される。参照信号は、例えば、ＤＭ−ＲＳ（Demodulation Reference Signal）、ＰＴ−ＲＳ（Phase noise Tracking Reference Signal）、ＣＳＩ−ＲＳ（Channel Status Information - Reference Signal）等がある。
【００１９】
基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Machine-to-Machine）用通信モジュール等の無線通信機能を備えた通信装置であり、基地局装置１００に無線接続し、無線通信システムにより提供される各種通信サービスを利用する。ユーザ装置２００は、基地局装置１００から受信した無線フレーム上の参照信号に基づいて、下りリンクのチャネル推定及び下りリンク信号の復調を行い、基地局装置１００は、ユーザ装置２００から受信した無線フレーム上の参照信号に基づいて、上りリンクのチャネル推定及び上りリンク信号の復調を行う。
【００２０】
また、図１に示されるように、基地局装置１００から周波数ホッピング指示を含むＮＲ−ＰＵＳＣＨ（Physical uplink shared channel）送信がユーザ装置２００にスケジューリングされると、ユーザ装置２００から基地局装置１００に周波数ホッピングが適用されたＮＲ−ＰＵＳＣＨ及びＮＲ−ＰＵＳＣＨを復調するためのＤＭ−ＲＳが送信される。ＤＭ−ＲＳは、Ｆｒｏｎｔ−ｌｏａｄｅｄ  ＤＭ−ＲＳ又はＡｄｄｉｔｉｏｎａｌ  ＤＭ−ＲＳで構成される。以下、「ＮＲ−ＰＵＳＣＨ」を「ＰＵＳＣＨ」ともいう。
【００２１】
図２は、本発明の実施の形態におけるＤＭ−ＲＳが無線フレームに配置される例（１）を示す図である。ＮＲにおける周波数ホッピング非適用時のＤＭ−ＲＳのＯＦＤＭシンボルへのマッピング形式を説明する。図２に示される１スロットは、１４ＯＦＤＭシンボルに対していずれのシンボルにＤＭ−ＲＳがマッピングされるかを示す例である。シンボル内のリソースは、サブキャリア単位で区切られており、１２サブキャリアで１リソースブロックは構成される。図２に示されるＰＵＳＣＨを物理リソースへマッピングする方法は、ＰＵＳＣＨ  ｍａｐｐｉｎｇ  ｔｙｐｅ  Ａと呼ばれ、１つのＰＵＳＣＨの期間のシンボル数「ＰＵＳＣＨ  ｄｕｒａｔｉｏｎ  ｉｎ  ｓｙｍｂｏｌｓ」は、「１４」である。ＰＵＳＣＨに対するＦｒｏｎｔ−ｌｏａｄｅｄ  ＤＭ−ＲＳが配置されるシンボル位置「ｌ０」は、「２」である。以下、「シンボル位置」は、時間領域の位置を示し、１４シンボルに対する位置のインデックスを、シンボル＃０からシンボル＃１３とする。なお、図２は、ＤＭ−ＲＳが１サブキャリアおきに配置される例であり、異なる密度で、ＤＭ−ＲＳが配置されてもよい。なお、図２において、１つのＤＭ−ＲＳは１シンボルに配置されているが、１つのＤＭ−ＲＳが連続する２シンボルに配置されてもよい。図２においては、１つのＰＵＳＣＨの期間において、Ｆｒｏｎｔ−ｌｏａｄｅｄ  ＤＭ−ＲＳは、１シンボルで１つ配置され、Ａｄｄｉｔｉｏｎａｌ  ＤＭ−ＲＳは、１シンボルで２つ配置される。
【００２２】
図２に示されるスロットにおいて、ＰＵＳＣＨ内のデータ信号は、破線で囲まれた物理リソースのうち、ＤＭ−ＲＳが配置されない物理リソースに配置される。また、ＰＵＳＣＨは、シンボル＃０からシンボル＃１３にひとつ、１４シンボルの期間で配置される。ひとつのＰＵＳＣＨにおいて、前方に配置されるＤＭ−ＲＳが、Ｆｒｏｎｔ−ｌｏａｄｅｄ  ＤＭ−ＲＳであり、後方に配置されるＤＭ−ＲＳが、Ａｄｄｉｔｉｏｎａｌ  ＤＭ−ＲＳである。図２に示されるように、Ｆｒｏｎｔ−ｌｏａｄｅｄ  ＤＭ−ＲＳは、シンボル＃２に配置される。Ａｄｄｉｔｉｏｎａｌ  ＤＭ−ＲＳは、シンボル＃７及びシンボル＃１１に配置される。
【００２３】
図３は、本発明の実施の形態におけるＤＭ−ＲＳが無線フレームに配置される例（２）を示す図である。ＮＲにおける周波数ホッピング非適用時のＤＭ−ＲＳのＯＦＤＭシンボルへの他のマッピング形式を説明する。図３に示される１スロットは、１４ＯＦＤＭシンボルに対していずれのシンボルにＤＭ−ＲＳがマッピングされるかを示す例である。シンボル内のリソースは、サブキャリア単位で区切られており、１２サブキャリアで１リソースブロックは構成される。図３に示されるＰＵＳＣＨを物理リソースへマッピングする方法は、ＰＵＳＣＨ  ｍａｐｐｉｎｇ  ｔｙｐｅ  Ｂと呼ばれ、１つのＰＵＳＣＨの期間のシンボル数「ＰＵＳＣＨ  ｄｕｒａｔｉｏｎ  ｉｎ  ｓｙｍｂｏｌｓ」は、「１０」である。ＰＵＳＣＨに対するＦｒｏｎｔ−ｌｏａｄｅｄ  ＤＭ−ＲＳが配置されるシンボル位置「ｌ０」は、「０」である。図３において、ＰＵＳＣＨが１スロットにスケジューリングされており、ＰＵＳＣＨのスタートシンボルは、シンボル＃４である。図３においては、１つのＰＵＳＣＨの期間において、Ｆｒｏｎｔ−ｌｏａｄｅｄ  ＤＭ−ＲＳは、１シンボルで１つ配置され、Ａｄｄｉｔｉｏｎａｌ  ＤＭ−ＲＳは、１シンボルで２つ配置される。
【００２４】
図３に示されるスロットにおいて、ＰＵＳＣＨ内のデータ信号は、破線で囲まれた物理リソースのうち、ＤＭ−ＲＳが配置されない物理リソースに配置される。また、ＰＵＳＣＨは、シンボル＃４からシンボル＃１３にひとつ、１０シンボルの期間で配置される。ひとつのＰＵＳＣＨにおいて、前方に配置されるＤＭ−ＲＳが、Ｆｒｏｎｔ−ｌｏａｄｅｄ  ＤＭ−ＲＳであり、後方に配置されるＤＭ−ＲＳが、Ａｄｄｉｔｉｏｎａｌ  ＤＭ−ＲＳである。図３に示されるように、Ｆｒｏｎｔ−ｌｏａｄｅｄ  ＤＭ−ＲＳは、シンボル＃４に配置される。Ａｄｄｉｔｉｏｎａｌ  ＤＭ−ＲＳは、シンボル＃８及びシンボル＃１２に配置される。なお、ＰＵＳＣＨ  ｍａｐｐｉｎｇ  ｔｙｐｅ  Ｂにおいて、ＰＵＳＣＨの配置が開始されるシンボルはいずれのシンボルでもよく、例えば、シンボル＃０からシンボル＃９、シンボル＃２からシンボル＃１１のようにＰＵＳＣＨは配置されてもよい。
【００２５】
ここで、ユーザ装置２００が送信するＰＵＳＣＨが、Ｃ−ＲＮＴＩ（Cell Radio Network Temporary Identifier）又はＣＳ−ＲＮＴＩ（Configured Scheduling RNTI）でスクランブルされていないＣＲＣ（Cyclic Redundancy Check）をともなうＰＤＣＣＨによってスケジューリングされていない状態、すなわち、ＲＲＣ（Radio Resource Control）接続が確立される前の状態で送信される場合を検討する。基地局装置１００は、ユーザ装置２００にＰＵＳＣＨのスケジューリングを行う場合、周波数ホッピングを適用する指示を行ってもよい。ユーザ装置２００は、ＲＲＣ接続が確立される前の状態で送信するＰＵＳＣＨに周波数ホッピングを適用する場合、ＤＭ−ＲＳの数及び位置を決定する必要がある。
【００２６】
表１は、ＲＲＣ接続が確立される前の状態で送信されるＰＵＳＣＨに周波数ホッピングを適用する場合において、Ｆｒｏｎｔ−ｌｏａｄｅｄ  ＤＭ−ＲＳを１シンボル、Ａｄｄｉｔｉｏｎａｌ  ＤＭ−ＲＳの数を１つと規定したときのＦｉｒｓｔ  ｈｏｐ及びＳｅｎｃｏｎｄ  ｈｏｐに対応するＤＭ−ＲＳの位置を示す。ただし、Ａｄｄｉｔｉｏｎａｌ  ＤＭ−ＲＳの数が１つをサポートしないＰＵＳＣＨの期間のシンボル数である場合、Ａｄｄｉｔｉｏｎａｌ  ＤＭ−ＲＳの数を０としたＤＭ−ＲＳの位置を示す。
【００２７】
【表１】
2019187157.tif 000003
【００２８】
図４は、本発明の実施の形態における周波数ホッピングの例（１）を示す図である。表１に示される「ＰＵＳＣＨ  ｍａｐｐｉｎｇ  ｔｙｐｅ  Ａ」であって、ＰＵＳＣＨが８シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「４」、「Ｆｉｒｓｔ  ｈｏｐ」が「ｌ０」、「Ｓｅｃｏｎｄ  ｈｏｐ」が「０」である場合のＤＭ−ＲＳの配置を図４に示す。なお、図４において、「ｌ０＝２」であり、１スロットに対するＤＭ−ＲＳの配置が示される。
【００２９】
図４に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃２に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃４に配置される。図４に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００３０】
なお、例えば、ＰＵＳＣＨが７シンボル長でスケジューリングされ、「Ｆｉｒｓｔ  ｈｏｐ」の「Ｄｕｒａｔｉｏｎ  ｉｎ  ｓｙｍｂｏｌｓ」が「４」、「Ｓｅｃｏｎｄ  ｈｏｐ」の「Ｄｕｒａｔｉｏｎ  ｉｎ  ｓｙｍｂｏｌｓ」が「３」であるような物理リソースへの配置が行われてもよいし、「Ｆｉｒｓｔ  ｈｏｐ」の「Ｄｕｒａｔｉｏｎ  ｉｎ  ｓｙｍｂｏｌｓ」が「３」、「Ｓｅｃｏｎｄ  ｈｏｐ」の「Ｄｕｒａｔｉｏｎ  ｉｎ  ｓｙｍｂｏｌｓ」が「４」であるような物理リソースへの配置が行われてもよい。
【００３１】
図５は、本発明の実施の形態における周波数ホッピングの例（２）を示す図である。表１に示される「ＰＵＳＣＨ  ｍａｐｐｉｎｇ  ｔｙｐｅ  Ａ」であって、ＰＵＳＣＨが１０シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「５」、「Ｆｉｒｓｔ  ｈｏｐ」が「ｌ０」、「Ｓｅｃｏｎｄ  ｈｏｐ」が「０」である場合のＤＭ−ＲＳの配置を図５に示す。なお、図５において、「ｌ０＝２」であり、１スロットに対するＤＭ−ＲＳの配置が示される。
【００３２】
図５に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃２に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃５に配置される。図５に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００３３】
図６は、本発明の実施の形態における周波数ホッピングの例（３）を示す図である。表１に示される「ＰＵＳＣＨ  ｍａｐｐｉｎｇ  ｔｙｐｅ  Ａ」であって、ＰＵＳＣＨが１２シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「６」、「Ｆｉｒｓｔ  ｈｏｐ」が「ｌ０」、「Ｓｅｃｏｎｄ  ｈｏｐ」が「０」である場合のＤＭ−ＲＳの配置を図６に示す。なお、図６において、「ｌ０＝２」であり、１スロットに対するＤＭ−ＲＳの配置が示される。
【００３４】
図６に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃２に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃６に配置される。図６に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００３５】
図７は、本発明の実施の形態における周波数ホッピングの例（４）を示す図である。表１に示される「ＰＵＳＣＨ  ｍａｐｐｉｎｇ  ｔｙｐｅ  Ａ」であって、ＰＵＳＣＨが１４シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「７」、「Ｆｉｒｓｔ  ｈｏｐ」が「ｌ０」及び「ｌ０＋４」、「Ｓｅｃｏｎｄ  ｈｏｐ」が「０」及び「４」である場合のＤＭ−ＲＳの配置を図７に示す。なお、図７において、「ｌ０＝２」であり、１スロットに対するＤＭ−ＲＳの配置が示される。
【００３６】
図７に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃２に配置され、Ａｄｄｉｔｉｏｎａｌ  ＤＭ−ＲＳは、シンボル＃６に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃７に配置され、Ａｄｄｉｔｉｏｎａｌ  ＤＭ−ＲＳは、シンボル＃１１に配置される。図７に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００３７】
図８は、本発明の実施の形態における周波数ホッピングの例（５）を示す図である。表１に示される「ＰＵＳＣＨ  ｍａｐｐｉｎｇ  ｔｙｐｅ  Ｂ」であって、ＰＵＳＣＨが６シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「３」、「Ｆｉｒｓｔ  ｈｏｐ」が「ｌ０」、「Ｓｅｃｏｎｄ  ｈｏｐ」が「０」である場合のＤＭ−ＲＳの配置を図８に示す。なお、図８において、「ｌ０＝０」であり、ＰＵＳＣＨスタートシンボルは、シンボル＃８にスケジューリングされ、１スロットに対するＤＭ−ＲＳの配置が示される。
【００３８】
図８に示されるスロットにおいて、ＰＵＳＣＨ内のデータ信号は、破線で囲まれた物理リソースのうち、ＤＭ−ＲＳが配置されない物理リソースに配置される。図８に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃８に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃１１に配置される。図８に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００３９】
図９は、本発明の実施の形態における周波数ホッピングの例（６）を示す図である。表１に示される「ＰＵＳＣＨ  ｍａｐｐｉｎｇ  ｔｙｐｅ  Ｂ」であって、ＰＵＳＣＨが８シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「４」、「Ｆｉｒｓｔ  ｈｏｐ」が「ｌ０」、「Ｓｅｃｏｎｄ  ｈｏｐ」が「０」である場合のＤＭ−ＲＳの配置を図９に示す。なお、図９において、「ｌ０＝０」であり、ＰＵＳＣＨスタートシンボルは、シンボル＃６にスケジューリングされ、１スロットに対するＤＭ−ＲＳの配置が示される。
【００４０】
図９に示されるスロットにおいて、ＰＵＳＣＨ内のデータ信号は、破線で囲まれた物理リソースのうち、ＤＭ−ＲＳが配置されない物理リソースに配置される。図９に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃６に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃１０に配置される。図９に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００４１】
図１０は、本発明の実施の形態における周波数ホッピングの例（７）を示す図である。表１に示される「ＰＵＳＣＨ  ｍａｐｐｉｎｇ  ｔｙｐｅ  Ｂ」であって、ＰＵＳＣＨが１０シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「５」、「Ｆｉｒｓｔ  ｈｏｐ」が「ｌ０」及び「ｌ０＋４」、「Ｓｅｃｏｎｄ  ｈｏｐ」が「０」及び「４」である場合のＤＭ−ＲＳの配置を図１０に示す。なお、図１０において、「ｌ０＝０」であり、ＰＵＳＣＨスタートシンボルは、シンボル＃４にスケジューリングされ、１スロットに対するＤＭ−ＲＳの配置が示される。
【００４２】
図１０に示されるスロットにおいて、ＰＵＳＣＨ内のデータ信号は、破線で囲まれた物理リソースのうち、ＤＭ−ＲＳが配置されない物理リソースに配置される。図１０に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃４に配置され、Ａｄｄｉｔｉｏｎａｌ  ＤＭ−ＲＳは、シンボル＃８に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃９に配置され、Ａｄｄｉｔｉｏｎａｌ  ＤＭ−ＲＳは、シンボル＃１３に配置される。図１０に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００４３】
図１１は、本発明の実施の形態における周波数ホッピングの例（８）を示す図である。表１に示される「ＰＵＳＣＨ  ｍａｐｐｉｎｇ  ｔｙｐｅ  Ｂ」であって、ＰＵＳＣＨが１２シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「６」、「Ｆｉｒｓｔ  ｈｏｐ」が「ｌ０」及び「ｌ０＋４」、「Ｓｅｃｏｎｄ  ｈｏｐ」が「０」及び「４」である場合のＤＭ−ＲＳの配置を図１１に示す。なお、図１１において、「ｌ０＝０」であり、ＰＵＳＣＨスタートシンボルは、シンボル＃２にスケジューリングされ、１スロットに対するＤＭ−ＲＳの配置が示される。
【００４４】
図１１に示されるスロットにおいて、ＰＵＳＣＨ内のデータ信号は、破線で囲まれた物理リソースのうち、ＤＭ−ＲＳが配置されない物理リソースに配置される。図１１に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃２に配置され、Ａｄｄｉｔｉｏｎａｌ  ＤＭ−ＲＳは、シンボル＃６に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃８に配置され、Ａｄｄｉｔｉｏｎａｌ  ＤＭ−ＲＳは、シンボル＃１２に配置される。図１１に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００４５】
図１２は、本発明の実施の形態における周波数ホッピングの例（９）を示す図である。表１に示される「ＰＵＳＣＨ  ｍａｐｐｉｎｇ  ｔｙｐｅ  Ｂ」であって、ＰＵＳＣＨが１４シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「７」、「Ｆｉｒｓｔ  ｈｏｐ」が「ｌ０」及び「ｌ０＋４」、「Ｓｅｃｏｎｄ  ｈｏｐ」が「０」及び「４」である場合のＤＭ−ＲＳの配置を図１２に示す。なお、図１２において、「ｌ０＝０」であり、ＰＵＳＣＨスタートシンボルは、シンボル＃０にスケジューリングされ、１スロットに対するＤＭ−ＲＳの配置が示される。
【００４６】
図１２に示されるスロットにおいて、ＰＵＳＣＨ内のデータ信号は、破線で囲まれた物理リソースのうち、ＤＭ−ＲＳが配置されない物理リソースに配置される。図１２に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃０に配置され、Ａｄｄｉｔｉｏｎａｌ  ＤＭ−ＲＳは、シンボル＃４に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃７に配置され、Ａｄｄｉｔｉｏｎａｌ  ＤＭ−ＲＳは、シンボル＃１１に配置される。図１２に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００４７】
表２は、ＲＲＣ接続が確立される前の状態で送信されるＰＵＳＣＨに周波数ホッピングを適用する場合において、Ｆｒｏｎｔ−ｌｏａｄｅｄ  ＤＭ−ＲＳを１シンボル、Ａｄｄｉｔｉｏｎａｌ  ＤＭ−ＲＳの数をなしと規定したときのＦｉｒｓｔ  ｈｏｐ及びＳｅｎｃｏｎｄ  ｈｏｐに対応するＤＭ−ＲＳの位置を示す。
【００４８】
【表２】
2019187157.tif 000004
【００４９】
なお、表２において、「ＰＵＳＣＨ  ｍａｐｐｉｎｇ  ｔｙｐｅ  Ａ」であって、「Ｄｕｒａｔｉｏｎ  ｉｎ  ｓｙｍｂｏｌｓ」が「４」、「５」又は「６」であるとき、表１に示されるＤＭ−ＲＳの配置と同様となる。また、表２において、「ＰＵＳＣＨ  ｍａｐｐｉｎｇ  ｔｙｐｅ  Ｂ」であって、「Ｄｕｒａｔｉｏｎ  ｉｎ  ｓｙｍｂｏｌｓ」が「３」又は「４」であるとき、表１に示されるＤＭ−ＲＳの配置と同様となる。
【００５０】
図１３は、本発明の実施の形態における周波数ホッピングの例（１０）を示す図である。表２に示される「ＰＵＳＣＨ  ｍａｐｐｉｎｇ  ｔｙｐｅ  Ａ」であって、ＰＵＳＣＨが１４シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「７」、「Ｆｉｒｓｔ  ｈｏｐ」が「ｌ０」、「Ｓｅｃｏｎｄ  ｈｏｐ」が「０」である場合のＤＭ−ＲＳの配置を図１３に示す。なお、図１３において、「ｌ０＝２」であり、１スロットに対するＤＭ−ＲＳの配置が示される。
【００５１】
図１３に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃２に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃７に配置される。図１３に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００５２】
図１４は、本発明の実施の形態における周波数ホッピングの例（１１）を示す図である。表２に示される「ＰＵＳＣＨ  ｍａｐｐｉｎｇ  ｔｙｐｅ  Ｂ」であって、ＰＵＳＣＨが１０シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「５」、「Ｆｉｒｓｔ  ｈｏｐ」が「ｌ０」、「Ｓｅｃｏｎｄ  ｈｏｐ」が「０」である場合のＤＭ−ＲＳの配置を図１４に示す。なお、図１４において、「ｌ０＝０」であり、ＰＵＳＣＨスタートシンボルは、シンボル＃４にスケジューリングされ、１スロットに対するＤＭ−ＲＳの配置が示される。
【００５３】
図１４に示されるスロットにおいて、ＰＵＳＣＨ内のデータ信号は、破線で囲まれた物理リソースのうち、ＤＭ−ＲＳが配置されない物理リソースに配置される。図１４に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃４に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃９に配置される。図１４に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００５４】
図１５は、本発明の実施の形態における周波数ホッピングの例（１２）を示す図である。
表２に示される「ＰＵＳＣＨ  ｍａｐｐｉｎｇ  ｔｙｐｅ  Ｂ」であって、ＰＵＳＣＨが１２シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「６」、「Ｆｉｒｓｔ  ｈｏｐ」が「ｌ０」、「Ｓｅｃｏｎｄ  ｈｏｐ」が「０」である場合のＤＭ−ＲＳの配置を図１５に示す。なお、図１５において、「ｌ０＝０」であり、ＰＵＳＣＨスタートシンボルは、シンボル＃２にスケジューリングされ、１スロットに対するＤＭ−ＲＳの配置が示される。
【００５５】
図１５に示されるスロットにおいて、ＰＵＳＣＨ内のデータ信号は、破線で囲まれた物理リソースのうち、ＤＭ−ＲＳが配置されない物理リソースに配置される。図１５に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃２に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃８に配置される。図１５に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００５６】
図１６は、本発明の実施の形態における周波数ホッピングの例（１３）を示す図である。表２に示される「ＰＵＳＣＨ  ｍａｐｐｉｎｇ  ｔｙｐｅ  Ｂ」であって、ＰＵＳＣＨが１４シンボル長でスケジューリングされ、「Ｆｉｒｓｔ  ｈｏｐ」及び「Ｓｅｃｏｎｄ  ｈｏｐ」双方の「Ｄｕｒａｔｉｏｎ  ｉｎ  ｓｙｍｂｏｌｓ」が「７」、「Ｆｉｒｓｔ  ｈｏｐ」が「ｌ０」、「Ｓｅｃｏｎｄ  ｈｏｐ」が「０」である場合のＤＭ−ＲＳの配置を図１６に示す。なお、図１６において、「ｌ０＝０」であり、ＰＵＳＣＨスタートシンボルは、シンボル＃０にスケジューリングされ、１スロットに対するＤＭ−ＲＳの配置が示される。
【００５７】
図１６に示されるスロットにおいて、ＰＵＳＣＨ内のデータ信号は、破線で囲まれた物理リソースのうち、ＤＭ−ＲＳが配置されない物理リソースに配置される。図１６に示されるように、Ｆｉｒｓｔ  ｈｏｐとなる１つ目のＰＵＳＣＨに対応するＦｒｏｎｔ−ｌｏａｄｅｄ  ＤＭ−ＲＳはシンボル＃０に配置される。Ｓｅｃｏｎｄ  ｈｏｐとなる２つ目のＰＵＳＣＨに対応するＦｒｏｎｔ−ｌｏａｄｅｄ  ＤＭ−ＲＳはシンボル＃７に配置される。図１６に示されるように、Ｓｅｃｏｎｄ  ｈｏｐにおいて、周波数ホッピングが適用されて所定の周波数オフセットが加えられたサブキャリアからＤＭ−ＲＳは配置が開始される。
【００５８】
表３は、ＲＲＣ接続が確立された後の状態で送信されるＰＵＳＣＨに周波数ホッピングを適用する場合において、上位層シグナリングで１つのａｄｄｉｔｉｏｎａｌ  ＤＭ−ＲＳが設定されたときのＦｉｒｓｔ  ｈｏｐ及びＳｅｎｃｏｎｄ  ｈｏｐに対応するＤＭ−ＲＳの位置を示す。上位層シグナリングで１つのＡｄｄｉｔｉｏｎａｌ  ＤＭ−ＲＳが設定されることは、情報要素「ｄｍｒｓ−ＡｄｄｉｔｉｏｎａｌＰｏｓｉｔｉｏｎ」が「１」であることで示されてもよい。
【００５９】
【表３】
2019187157.tif 000005
【００６０】
表３において、基地局装置１００からスケジューリングされたシンボル数では、１つのＡｄｄｉｔｉｏｎａｌ  ＤＭ−ＲＳがサポートされていない場合、スケジューリングされたシンボル数と同じときのＡｄｄｉｔｉｏｎａｌ  ＤＭ−ＲＳがなしであるＤＭ−ＲＳの位置をユーザ装置２００は使用することが示される。すなわち、「Ｄｕｒａｔｉｏｎ  ｉｎ  ｓｙｍｂｏｌｓ」が「４」、「５」又は「６」のとき、ＰＵＳＣＨ  ｍａｐｐｉｎｇ  ｔｙｐｅ  Ａにおいて、情報要素「ｄｍｒｓ−ＡｄｄｉｔｉｏｎａｌＰｏｓｉｔｉｏｎ」が「１」である場合、Ｆｉｒｓｔ  ｈｏｐのＤＭ−ＲＳの位置は、「ｌ０」であって、Ｓｅｃｏｎｄ  ｈｏｐのＤＭ−ＲＳの位置は「０」であってもよい。また、「Ｄｕｒａｔｉｏｎ  ｉｎ  ｓｙｍｂｏｌｓ」が「３」又は「４」のとき、ＰＵＳＣＨ  ｍａｐｐｉｎｇ  ｔｙｐｅ  Ｂにおいて、情報要素「ｄｍｒｓ−ＡｄｄｉｔｉｏｎａｌＰｏｓｉｔｉｏｎ」が「１」である場合、Ｆｉｒｓｔ  ｈｏｐのＤＭ−ＲＳの位置は、「ｌ０」であって、Ｓｅｃｏｎｄ  ｈｏｐのＤＭ−ＲＳの位置は「０」であってもよい。
【００６１】
図１７は、本発明の実施の形態における仕様変更の一例を示す図である。図１７に示されるように、ユーザ装置２００が送信するＰＵＳＣＨが、Ｃ−ＲＮＴＩ又はＣＳ−ＲＮＴＩでスクランブルされていないＣＲＣをともなうＰＤＣＣＨによってスケジューリングされていない状態、すなわち、ＲＲＣ接続が確立される前の状態で送信される場合であって、送信するＰＵＳＣＨに対応する検出されたＰＤＣＣＨのＤＣＩフォーマットに含まれる「ｆｒｅｑｕｅｎｃｙ  ｈｏｐｐｉｎｇ  ｆｉｅｌｄ」が「１」である場合、ユーザ装置２００は、ＰＵＳＣＨに周波数ホッピングを適用する。
【００６２】
また、図１７に示されるように、ＰＵＳＣＨの期間のシンボル数が７であって、「ＰＵＳＣＨ  ｍａｐｐｉｎｇ  ｔｙｐｅ  Ａ」である場合、ユーザ装置２００は、情報要素「ｄｍｒｓ−ＡｄｄｉｔｉｏｎａｌＰｏｓｉｔｉｏｎ」は「１」であると解釈し、１つのＡｄｄｉｔｉｏｎａｌ  ＤＭ−ＲＳが送信される。
【００６３】
また、図１７に示されるように、ＰＵＳＣＨの期間のシンボル数が７未満であって、「ＰＵＳＣＨ  ｍａｐｐｉｎｇ  ｔｙｐｅ  Ａ」である場合、ユーザ装置２００は、情報要素「ｄｍｒｓ−ＡｄｄｉｔｉｏｎａｌＰｏｓｉｔｉｏｎ」は「０」であると解釈し、Ａｄｄｉｔｉｏｎａｌ  ＤＭ−ＲＳは送信されない。
【００６４】
また、図１７に示されるように、ＰＵＳＣＨの期間のシンボル数が４を超えており、「ＰＵＳＣＨ  ｍａｐｐｉｎｇ  ｔｙｐｅ  Ｂ」である場合、ユーザ装置２００は、情報要素「ｄｍｒｓ−ＡｄｄｉｔｉｏｎａｌＰｏｓｉｔｉｏｎ」は「１」であると解釈し、１つのＡｄｄｉｔｉｏｎａｌ  ＤＭ−ＲＳが送信される。
【００６５】
また、図１７に示されるように、ＰＵＳＣＨの期間のシンボル数が５未満であって、「ＰＵＳＣＨ  ｍａｐｐｉｎｇ  ｔｙｐｅ  Ｂ」である場合、ユーザ装置２００は、情報要素「ｄｍｒｓ−ＡｄｄｉｔｉｏｎａｌＰｏｓｉｔｉｏｎ」は「０」であると解釈し、Ａｄｄｉｔｉｏｎａｌ  ＤＭ−ＲＳは送信されない。
【００６６】
上述の実施例において、基地局装置１００及びユーザ装置２００は、ＲＲＣ接続が確立される前に送信されるＰＵＳＣＨに対して周波数ホッピングが適用された場合、周波数ホッピングが適用されるＤＭ−ＲＳの数及び位置を決定することができる。ユーザ装置２００は、周波数ホッピングが適用されたＰＵＳＣＨ及びＤＭ−ＲＳを基地局装置１００に送信することができる。
【００６７】
すなわち、無線通信システムにおいて、復調用参照信号に対して適切に周波数ホッピングを適用し、周波数ホッピングのゲインを得ることができる。
【００６８】
（装置構成）
次に、これまでに説明した処理及び動作を実行する基地局装置１００及びユーザ装置２００の機能構成例を説明する。基地局装置１００及びユーザ装置２００はそれぞれ、少なくとも実施例を実施する機能を含む。ただし、基地局装置１００及びユーザ装置２００はそれぞれ、実施例の中の一部の機能のみを備えることとしてもよい。
【００６９】
図１８は、基地局装置１００の機能構成の一例を示す図である。図１８に示されるように、基地局装置１００は、送信部１１０と、受信部１２０と、設定情報管理部１３０と、参照信号設定部１４０とを有する。図１８に示される機能構成は一例に過ぎない。本発明の実施の形態に係る動作を実行できるのであれば、機能区分及び機能部の名称はどのようなものでもよい。
【００７０】
送信部１１０は、ユーザ装置２００に送信する信号を生成し、当該信号を無線で送信する機能を含む。受信部１２０は、ユーザ装置２００から送信されたＮＲ−ＰＵＳＣＨを含む各種の信号を受信し、受信した信号から、例えばより上位のレイヤの情報を取得する機能を含む。また、受信部１２０は、ユーザ装置２００から受信した周波数ホッピングが適用されたＤＭ−ＲＳに基づいて、周波数ホッピングが適用されたＮＲ−ＰＵＳＣＨを復調する。また、送信部１１０は、ユーザ装置２００へＮＲ−ＰＳＳ、ＮＲ−ＳＳＳ、ＮＲ−ＰＢＣＨ、ＮＲ−ＰＤＣＣＨ又はＮＲ−ＰＤＳＣＨ等を送信する機能を有する。また、送信部１１０は、ユーザ装置２００に各種の参照信号、例えば、ＤＭ−ＲＳを送信する。
【００７１】
設定情報管理部１３０は、予め設定される設定情報、及び、ユーザ装置２００に送信する各種の設定情報を格納する。設定情報の内容は、例えば、参照信号の無線フレーム上の配置に関する情報等である。
【００７２】
参照信号設定部１４０は、実施例において説明した、基地局装置１００からユーザ装置２００に送信する各種の参照信号、例えば、ＤＭ−ＲＳ等を無線フレームに設定する。
【００７３】
図１９は、ユーザ装置２００の機能構成の一例を示す図である。図１９に示されるように、ユーザ装置２００は、送信部２１０と、受信部２２０と、設定情報管理部２３０と、参照信号処理部２４０とを有する。図１９に示される機能構成は一例に過ぎない。本発明の実施の形態に係る動作を実行できるのであれば、機能区分及び機能部の名称はどのようなものでもよい。
【００７４】
送信部２１０は、送信データから送信信号を作成し、当該送信信号を無線で送信する。また、送信部２１０は、基地局装置１００に各種の参照信号を含む信号、例えば、ＤＭ−ＲＳ及び当該ＤＭ−ＲＳに対応するＮＲ−ＰＵＳＣＨを送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＮＲ−ＰＤＣＣＨ又はＮＲ−ＰＤＳＣＨ等を受信する機能を有する。また、送信部２１０は、基地局装置１００に上りリンク信号を送信し、受信部２２０は、基地局装置１００から各種の参照信号、例えば、ＤＭ−ＲＳ、ＰＴＲＳ等を受信する。設定情報管理部２３０は、受信部２２０により基地局装置１００から受信した各種の設定情報を格納する。また、設定情報管理部２３０は、予め設定される設定情報も格納する。設定情報の内容は、例えば、参照信号の無線フレーム上の配置に関する情報等である。
【００７５】
参照信号処理部２４０は、実施例において説明した、ユーザ装置２００における参照信号を受信してチャネル推定及び復調に使用する動作等に係る制御を行う。また、参照信号処理部２４０は、周波数ホッピングが適用されたＮＲ−ＰＵＳＣＨを復調するための周波数ホッピングが適用されたＤＭ−ＲＳを無線フレームに配置する。なお、参照信号処理部２４０における参照信号の送信に係る機能部を送信部２１０に含めてもよいし、参照信号処理部２４０における参照信号の受信に係る機能部を受信部２２０に含めてもよい。
【００７６】
（ハードウェア構成）
上述の本発明の実施の形態の説明に用いた機能構成図（図１８及び図１９）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００７７】
また、例えば、本発明の一実施の形態における基地局装置１００及びユーザ装置２００はいずれも、本発明の実施の形態に係る処理を行うコンピュータとして機能してもよい。図２０は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００７８】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００７９】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００８０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【００８１】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図１８に示した基地局装置１００の送信部１１０、受信部１２０、設定情報管理部１３０、参照信号設定部１４０は、記憶装置１００２に格納され、プロセッサ１００１で動作する制御プログラムによって実現されてもよい。また、例えば、図１９に示したユーザ装置２００の送信部２１０と、受信部２２０と、設定情報管理部２３０、参照信号処理部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００８２】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００８３】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００８４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００８５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００８６】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【００８７】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８８】
（実施の形態のまとめ）
以上、説明したように、本発明の実施の形態によれば、基地局装置と通信を行うユーザ装置であって、前記基地局装置と前記ユーザ装置との間にＲＲＣ（Radio Resource Control）接続が確立される以前にＰＵＳＣＨ（Physical Uplink Shared Channel）を前記基地局装置に送信する場合に、ＰＵＳＣＨ及び復調用参照信号に適用される周波数ホッピングを制御する処理部と、ＰＵＳＣＨに周波数ホッピングを適用することを示す情報を前記基地局装置から受信する受信部と、周波数ホッピングが適用された前記ＰＵＳＣＨ及び前記復調用参照信号を送信する送信部とを有し、１つのＰＵＳＣＨを復調するための前記復調用参照信号は、前方配置復調用参照信号が１つ及び追加復調用参照信号が１つで構成され、前記ＰＵＳＣＨの期間のシンボル数が、１つの追加復調用参照信号をサポートしないシンボル数である場合、前記復調用参照信号は、前方配置復調用参照信号で構成されるユーザ装置が提供される。
【００８９】
上記の構成により、基地局装置１００及びユーザ装置２００は、ＲＲＣ接続が確立される前に送信されるＰＵＳＣＨに対して周波数ホッピングが適用された場合、周波数ホッピングが適用されるＤＭ−ＲＳの数を決定することができる。ユーザ装置２００は、周波数ホッピングが適用されたＰＵＳＣＨ及びＤＭ−ＲＳを基地局装置１００に送信することができる。すなわち、無線通信システムにおいて、復調用参照信号に対して適切に周波数ホッピングを適用し、周波数ホッピングのゲインを得ることができる。
【００９０】
前記処理部は、周波数ホッピングされる復調用参照信号が配置されるシンボルの時間領域における位置をＰＵＳＣＨの期間のシンボル数に基づいて決定してもよい。当該構成により、基地局装置１００及びユーザ装置２００は、周波数ホッピングされるＤＭ−ＲＳが配置されるシンボルの時間領域における位置をＰＵＳＣＨの期間のシンボル数に基づいて決定することができる。
【００９１】
前記周波数ホッピングを適用することを示す情報は、送信するＰＵＳＣＨに対応する検出されたＰＤＣＣＨ（Physical Downlink Control Channel）のＤＣＩ（Downlink Control Information）フォーマットに含まれるｆｒｅｑｕｅｎｃｙ  ｈｏｐｐｉｎｇ  ｆｉｅｌｄであってもよい。基地局装置１００及びユーザ装置２００は、周波数ホッピングが適用されるか否かを決定することができる。
【００９２】
前記ｆｒｅｑｕｅｎｃｙ  ｈｏｐｐｉｎｇ  ｆｉｅｌｄが１であって、前記ＰＵＳＣＨの期間のシンボル数が７である場合、前記復調用参照信号は、１つの追加復調用参照信号を含み、前記ＰＵＳＣＨの期間のシンボル数が７未満である場合、前記復調用参照信号は、追加復調用参照信号を含まなくてもよい。当該構成により、基地局装置１００及びユーザ装置２００は、周波数ホッピングされるＤＭ−ＲＳが配置される数をＰＵＳＣＨの期間のシンボル数に基づいて決定することができる。
【００９３】
前記ｆｒｅｑｕｅｎｃｙ  ｈｏｐｐｉｎｇ  ｆｉｅｌｄが１であって、前記ＰＵＳＣＨの期間のシンボル数が４を超える場合、前記復調用参照信号は、１つの追加復調用参照信号を含み、前記ＰＵＳＣＨの期間のシンボル数が５未満である場合、前記復調用参照信号は、追加復調用参照信号を含まなくてもよい。当該構成により、基地局装置１００及びユーザ装置２００は、周波数ホッピングされるＤＭ−ＲＳが配置される数をＰＵＳＣＨの期間のシンボル数に基づいて決定することができる。
【００９４】
また、本発明の実施の形態によれば、ユーザ装置と通信を行う基地局装置であって、前記ユーザ装置と前記基地局装置との間にＲＲＣ（Radio Resource Control）接続が確立される以前にＰＵＳＣＨ（Physical Uplink Shared Channel）を前記基地局装置が受信する場合に、ＰＵＳＣＨ及び復調用参照信号に適用される周波数ホッピングを設定する設定部と、ＰＵＳＣＨに周波数ホッピングを適用することを示す情報を前記ユーザ装置に送信する送信部と、周波数ホッピングが適用された前記ＰＵＳＣＨ及び前記復調用参照信号を受信する受信部とを有し、１つのＰＵＳＣＨを復調するための前記復調用参照信号は、前方配置復調用参照信号が１つ及び追加復調用参照信号が１つで構成され、前記ＰＵＳＣＨの期間のシンボル数が、１つの追加復調用参照信号をサポートしないシンボル数である場合、前記復調用参照信号は、前方配置復調用参照信号で構成される基地局装置が提供される。
【００９５】
上記の構成により、基地局装置１００及びユーザ装置２００は、ＲＲＣ接続が確立される前に送信されるＰＵＳＣＨに対して周波数ホッピングが適用された場合、周波数ホッピングが適用されるＤＭ−ＲＳの数を決定することができる。ユーザ装置２００は、周波数ホッピングが適用されたＰＵＳＣＨ及びＤＭ−ＲＳを基地局装置１００に送信することができる。すなわち、無線通信システムにおいて、復調用参照信号に対して適切に周波数ホッピングを適用し、周波数ホッピングのゲインを得ることができる。
【００９６】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００９７】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００９８】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００９９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１００】
本明細書において基地局装置１００によって行われるとした特定動作は、場合によってはその上位ノード（upper node）によって行われることもある。基地局装置１００を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【０１０１】
本明細書で説明した各態様／実施形態は単独で用いてもよいし、組み合わせて用いてもよいし、実行に伴って切り替えて用いてもよい。
【０１０２】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１０３】
基地局装置１００は、当業者によって、ＮＢ（NodeB）、ｅＮＢ（enhanced NodeB）、ｇＮＢ、ベースステーション（Base Station）、又はいくつかの他の適切な用語で呼ばれる場合もある。
【０１０４】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【０１０５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０６】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【０１０７】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【０１０８】
なお、本発明の実施の形態において、ＤＭ−ＲＳは、復調用参照信号の一例である。Ｆｒｏｎｔ−ｌｏａｄｅｄ  ＤＭ−ＲＳは、前方配置復調用参照信号の一例である。Ａｄｄｉｔｉｏｎａｌ  ＤＭ−ＲＳは、追加復調用参照信号の一例である。参照信号処理部２４０は、処理部の一例である。参照信号設定部１４０は、設定部の一例である。
【０１０９】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１１０】
１００      基地局装置
２００      ユーザ装置
１１０      送信部
１２０      受信部
１３０      設定情報管理部
１４０      参照信号設定部
２００      ユーザ装置
２１０      送信部
２２０      受信部
２３０      設定情報管理部
２４０      参照信号処理部
１００１    プロセッサ
１００２    記憶装置
１００３    補助記憶装置
１００４    通信装置
１００５    入力装置
１００６    出力装置
【図１】
2019187157.tif 000006
【図２】
2019187157.tif 000007
【図３】
2019187157.tif 000008
【図４】
2019187157.tif 000009
【図５】
2019187157.tif 000010
【図６】
2019187157.tif 000011
【図７】
2019187157.tif 000012
【図８】
2019187157.tif 000013
【図９】
2019187157.tif 000014
【図１０】
2019187157.tif 000015
【図１１】
2019187157.tif 000016
【図１２】
2019187157.tif 000017
【図１３】
2019187157.tif 000018
【図１４】
2019187157.tif 000019
【図１５】
2019187157.tif 000020
【図１６】
2019187157.tif 000021
【図１７】
2019187157.tif 000022
【図１８】
2019187157.tif 000023
【図１９】
2019187157.tif 000024
【図２０】
2019187157.tif 000025
【手続補正書】
【提出日】令和2年9月3日(2020.9.3)
【手続補正１】
【補正対象書類名】特許請求の範囲
【補正対象項目名】全文
【補正方法】変更
【補正の内容】
【特許請求の範囲】
【請求項１】
基地局と通信を行う端末であって、
前記基地局と前記端末との間にＲＲＣ（Radio Resource Control）接続が確立される以前にＰＵＳＣＨ（Physical
Uplink Shared Channel）を前記基地局に送信する場合に、前記ＰＵＳＣＨ及び復調用参照信号に適用される周波数ホッピングを制御する処理部と、
周波数ホッピングが適用された前記ＰＵＳＣＨ及び前記復調用参照信号を送信する送信部とを有し、
前記処理部がホップ数２の周波数ホッピングを適用する場合、前記送信部は、前記ＰＵＳＣＨの１ホップの期間に基づいて、前記ＰＵＳＣＨの１ホップを復調するための前記復調用参照信号を、前方配置復調用参照信号が１つである第１の配置又は前方配置復調用参照信号が１つ及び追加復調用参照信号が１つである第２の配置で構成する端末。
【請求項２】
前記処理部は、周波数ホッピングされる復調用参照信号が配置されるシンボルの時間領域における位置をＰＵＳＣＨの期間のシンボル数に基づいて決定する請求項１記載の端末。
【請求項３】
ＰＵＳＣＨに周波数ホッピングを適用することを示す情報を前記基地局から受信する受信部をさらに有し、
前記周波数ホッピングを適用することを示す情報は、送信するＰＵＳＣＨに対応するＰＤＣＣＨ（Physical Downlink Control Channel）のＤＣＩ（Downlink
Control Information）フォーマットに含まれるｆｒｅｑｕｅｎｃｙ  ｈｏｐｐｉｎｇ  ｆｉｅｌｄである請求項１記載の端末。
【請求項４】
前記ｆｒｅｑｕｅｎｃｙ  ｈｏｐｐｉｎｇ  ｆｉｅｌｄが１であって、
前記ＰＵＳＣＨの１ホップの期間のシンボル数が７である場合、前記復調用参照信号は、１つの追加復調用参照信号を含み、
前記ＰＵＳＣＨの１ホップの期間のシンボル数が７未満である場合、前記復調用参照信号は、追加復調用参照信号を含まない請求項３記載の端末。
【請求項５】
前記ｆｒｅｑｕｅｎｃｙ  ｈｏｐｐｉｎｇ  ｆｉｅｌｄが１であって、
前記ＰＵＳＣＨの１ホップの期間のシンボル数が４を超える場合、前記復調用参照信号は、１つの追加復調用参照信号を含み、
前記ＰＵＳＣＨの１ホップの期間のシンボル数が５未満である場合、前記復調用参照信号は、追加復調用参照信号を含まない請求項３記載の端末。
【請求項６】
端末と通信を行う基地局であって、
前記基地局と前記端末との間にＲＲＣ（Radio Resource Control）接続が確立される以前にＰＵＳＣＨ（Physical
Uplink Shared Channel）を前記基地局に送信する場合に、前記ＰＵＳＣＨ及び復調用参照信号に適用される周波数ホッピングを制御する処理部と、
周波数ホッピングが適用された前記ＰＵＳＣＨ及び前記復調用参照信号を受信する受信部とを有し、
前記処理部がホップ数２の周波数ホッピングを適用する場合、前記ＰＵＳＣＨの１ホップを復調するための前記復調用参照信号は、前記ＰＵＳＣＨの１ホップの期間に基づいて、前方配置復調用参照信号が１つである第１の配置又は前方配置復調用参照信号が１つ及び追加復調用参照信号が１つである第２の配置で構成される基地局。
【請求項７】
基地局と通信を行う端末が実行する通信方法であって、
前記基地局と前記端末との間にＲＲＣ（Radio Resource Control）接続が確立される以前にＰＵＳＣＨ（Physical
Uplink Shared Channel）を前記基地局に送信する場合に、前記ＰＵＳＣＨ及び復調用参照信号に適用される周波数ホッピングを制御する処理手順と、
周波数ホッピングが適用された前記ＰＵＳＣＨ及び前記復調用参照信号を送信する送信手順とを前記端末が実行し、
前記処理手順においてホップ数２の周波数ホッピングが適用される場合、前記送信手順において、前記ＰＵＳＣＨの１ホップの期間に基づいて、前記ＰＵＳＣＨの１ホップを復調するための前記復調用参照信号を、前方配置復調用参照信号が１つである第１の配置又は前方配置復調用参照信号が１つ及び追加復調用参照信号が１つである第２の配置で構成する通信方法。

【国際調査報告】
2019187157.tif 000026
2019187157.tif 000027
2019187157.tif 000028
2019187157.tif 000029